【手続補正書】
【提出日】平成17年10月24日(2005.10.24)
【手続補正１】
【補正対象書類名】明細書
【補正対象項目名】発明の名称
【補正方法】変更
【補正の内容】
【発明の名称】情報処理システム及び情報処理装置及び情報処理方法
【手続補正２】
【補正対象書類名】明細書
【補正対象項目名】特許請求の範囲
【補正方法】変更
【補正の内容】
【特許請求の範囲】
【請求項１】  通信装置に表示されるコンテンツを提供する情報処理システムにおいて、
画像を記憶する記憶手段と、
前記画像を分割した複数の部分画像の情報と前記通信装置が有するキーがそれぞれ対応づけて記述され、前記複数の部分画像を前記キーの位置に合わせて配列して表示させるための第１のデータを作成する第１のデータ作成手段と、
前記作成された第１のデータを前記通信装置へ出力する第１の出力手段と、
前記複数の部分画像を前記キーの位置に合わせて配列して前記通信装置で表示させる表示手段と、
前記通信装置で押下されたキーに割り当てられている部分画像の情報を受信する受信手段と、
前記受信された部分画像の情報と対応する部分画像を前記記憶された画像から取得する取得手段と、
前記取得された部分画像を前記通信装置で表示させるための第２のデータを作成する第２のデータ作成手段と、
前記作成された第２のデータを前記通信装置へ出力する第２の出力手段を備えたことを特徴とする情報処理システム。
【請求項２】  請求項１において、
第２のデータ作成手段は、さらに、前記表示された部分画像に割り当てられたキーとは異なるキーが通信装置で操作されると、前記新たなキーと対応する部分画像を取得して表示させるよう指示するための前記第２のデータを作成することを特徴とする情報処理システム。
【請求項３】  請求項１において、
前記画像を分割した複数の部分画像を前記通信装置が有するキーに対応して記憶する第２の記憶手段をさらに備え、
前記第２のデータ作成手段は、さらに、前記表示された部分画像に割り当てられたキーが前記通信装置で操作されると、前記第２の記憶手段から前記複数の部分画像を取得して表示させるよう指示するための前記第２のデータを作成することを特徴とする情報処理システム。
【請求項４】  請求項１において、
前記取得された部分画像をサイズ調整して拡大画像を作成する拡大画像作成手段をさらに備え、
前記第２のデータ作成手段は、前記部分画像として前記拡大画像を前記通信装置で表示させるための第２のデータを作成することを特徴とする情報処理システム。
【請求項５】  請求項１において、
前記通信装置が有するキーは、電話番号の入力に利用されるテンキーを含むことを特徴とする情報処理システム。
【請求項６】  通信装置に表示されるコンテンツを提供する情報処理装置において、
画像を記憶する記憶手段と、
前記画像を分割した複数の部分画像の情報と前記通信装置が有するキーがそれぞれ対応づけて記述され、前記複数の部分画像を前記キーの位置に合わせて配列して表示させるための第１のデータを作成する第１のデータ作成手段と、
前記作成された第１のデータを前記通信装置へ出力する第１の出力手段と、
前記通信装置で押下されたキーに割り当てられている部分画像の情報を受信する受信手段と、
前記受信された部分画像の情報と対応する部分画像を前記記憶された画像から取得する取得手段と、
前記取得された部分画像を前記通信装置で表示させるための第２のデータを作成する第２のデータ作成手段と、
前記作成された第２のデータを前記通信装置へ出力する第２の出力手段を備えたことを特徴とする情報処理装置。
【請求項７】  請求項６において、
第２のデータ作成手段は、さらに、前記表示された部分画像に割り当てられたキーとは異なるキーが通信装置で操作されると、前記新たなキーと対応する部分画像を取得して表示させるよう指示するための前記第２のデータを作成することを特徴とする情報処理装置。
【請求項８】  請求項６において、
前記画像を分割した複数の部分画像を前記通信装置が有するキーに対応して記憶する第２の記憶手段をさらに備え、
前記第２のデータ作成手段は、さらに、前記表示された部分画像に割り当てられたキーが前記通信装置で操作されると、前記第２の記憶手段から前記複数の部分画像を取得して表示させるよう指示するための前記第２のデータを作成することを特徴とする情報処理装置。
【請求項９】  請求項６において、
前記取得された部分画像をサイズ調整して拡大画像を作成する拡大画像作成手段をさらに備え、
前記第２のデータ作成手段は、前記部分画像として前記拡大画像を前記通信装置で表示させるための第２のデータを作成することを特徴とする情報処理装置。
【請求項１０】  請求項６において、
前記通信装置が有するキーは、電話番号の入力に利用されるテンキーを含むことを特徴とする情報処理装置。
【請求項１１】  通信装置に表示されるコンテンツを提供する情報処理方法において、
画像を記憶する記憶ステップと、
前記画像を分割した複数の部分画像の情報と前記通信装置が有するキーがそれぞれ対応づけて記述され、前記複数の部分画像を前記キーの位置に合わせて配列して表示させるための第１のデータを作成する第１のデータ作成ステップと、
前記作成された第１のデータを前記通信装置へ出力する第１の出力ステップと、
前記複数の部分画像を前記キーの位置に合わせて配列して前記通信装置で表示させる表示ステップと、
前記通信装置で押下されたキーに割り当てられている部分画像の情報を受信する受信ステップと、
前記受信された部分画像の情報と対応する部分画像を前記記憶された画像から取得する取得ステップと、
前記取得された部分画像を前記通信装置で表示させるための第２のデータを作成する第２のデータ作成ステップと、
前記作成された第２のデータを前記通信装置へ出力する第２の出力ステップを備えたことを特徴とする情報処理方法。
【請求項１２】  請求項１１において、
第２のデータ作成ステップでは、さらに、前記表示された部分画像に割り当てられたキーとは異なるキーが通信装置で操作されると、前記新たなキーと対応する部分画像を取得して表示させるよう指示するための前記第２のデータを作成することを特徴とする情報処理方法。
【請求項１３】  請求項１１において、
前記画像を分割した複数の部分画像を前記通信装置が有するキーに対応して記憶する第２の記憶ステップをさらに備え、
前記第２のデータ作成ステップでは、さらに、前記表示された部分画像に割り当てられたキーが前記通信装置で操作されると、前記記憶された複数の部分画像を取得して表示させるよう指示するための前記第２のデータを作成することを特徴とする情報処理方法。
【請求項１４】  請求項１１において、
前記取得された部分画像をサイズ調整して拡大画像を作成する拡大画像作成ステップとをさらに備え、
前記第２のデータ作成ステップでは、前記部分画像として前記拡大画像を前記通信装置で表示させるための第２のデータを作成することを特徴とする情報処理方法。
【請求項１５】  請求項１１において、
前記通信装置が有するキーは、電話番号の入力に利用されるテンキーを含むことを特徴とする情報処理方法。
【手続補正３】
【補正対象書類名】明細書
【補正対象項目名】０００１
【補正方法】変更
【補正の内容】
【０００１】
【発明の属する技術分野】
本発明は、通信装置に表示されるコンテンツを提供する情報処理システム及び情報処理装置及び情報処理方法に関する。
【手続補正４】
【補正対象書類名】明細書
【補正対象項目名】０００８
【補正方法】変更
【補正の内容】
【０００８】
そこで、本発明は、画像の一部を拡大表示する場合の操作を直感的にわかりやすくし、操作性を向上させることを目的とする。
【手続補正５】
【補正対象書類名】明細書
【補正対象項目名】０００９
【補正方法】変更
【補正の内容】
【０００９】
【課題を解決するための手段】
上記目的を達成するために本発明は、通信装置に表示されるコンテンツを提供する情報処理システムにおいて、画像を記憶する記憶手段と、前記画像を分割した複数の部分画像の情報と前記通信装置が有するキーがそれぞれ対応づけて記述され、前記複数の部分画像を前記キーの位置に合わせて配列して表示させるための第１のデータを作成する第１のデータ作成手段と、前記作成された第１のデータを前記通信装置へ出力する第１の出力手段と、前記複数の部分画像を前記キーの位置に合わせて配列して前記通信装置で表示させる表示手段と、前記通信装置で押下されたキーに割り当てられている部分画像の情報を受信する受信手段と、前記受信された部分画像の情報と対応する部分画像を前記記憶された画像から取得する取得手段と、前記取得された部分画像を前記通信装置で表示させるための第２のデータを作成する第２のデータ作成手段と、前記作成された第２のデータを前記通信装置へ出力する第２の出力手段を備えたことを特徴とする情報処理システムを提供する。
【手続補正６】
【補正対象書類名】明細書
【補正対象項目名】００１０
【補正方法】変更
【補正の内容】
【００１０】
また、通信装置に表示されるコンテンツを提供する情報処理装置において、画像を記憶する記憶手段と、前記画像を分割した複数の部分画像の情報と前記通信装置が有するキーがそれぞれ対応づけて記述され、前記複数の部分画像を前記キーの位置に合わせて配列して表示させるための第１のデータを作成する第１のデータ作成手段と、前記作成された第１のデータを前記通信装置へ出力する第１の出力手段と、前記通信装置で押下されたキーに割り当てられている部分画像の情報を受信する受信手段と、前記受信された部分画像の情報と対応する部分画像を前記記憶された画像から取得する取得手段と、前記取得された部分画像を前記通信装置で表示させるための第２のデータを作成する第２のデータ作成手段と、前記作成された第２のデータを前記通信装置へ出力する第２の出力手段を備えたことを特徴とする情報処理装置を提供する。
【手続補正７】
【補正対象書類名】明細書
【補正対象項目名】００１１
【補正方法】変更
【補正の内容】
【００１１】
また、通信装置に表示されるコンテンツを提供する情報処理方法において、画像を記憶する記憶ステップと、前記画像を分割した複数の部分画像の情報と前記通信装置が有するキーがそれぞれ対応づけて記述され、前記複数の部分画像を前記キーの位置に合わせて配列して表示させるための第１のデータを作成する第１のデータ作成ステップと、前記作成された第１のデータを前記通信装置へ出力する第１の出力ステップと、前記複数の部分画像を前記キーの位置に合わせて配列して前記通信装置で表示させる表示ステップと、前記通信装置で押下されたキーに割り当てられている部分画像の情報を受信する受信ステップと、前記受信された部分画像の情報と対応する部分画像を前記記憶された画像から取得する取得ステップと、前記取得された部分画像を前記通信装置で表示させるための第２のデータを作成する第２のデータ作成ステップと、前記作成された第２のデータを前記通信装置へ出力する第２の出力ステップを備えたことを特徴とする情報処理方法を提供する。